(57)【要約】【課題】落雪効果の高い難着雪カバーを提供する。【解決手段】ケーブル１００の径よりも内径の大きい本体１１と、本体１１の上部に形成された雪切板１２と、本体１１の下部に形成された板状の重り１３とを備え、本体１１、雪切板１２および重り１３に撥水加工を施す。これにより、重り１３の重さにより雪切板１２が地面に対して垂直となるので、雪切板１２により難着雪カバー１上に積もる雪が分断されて、落雪しやすくなる。また、雪切板１２と板状の重り１３とで風を受け、ケーブル１００を揺らすので、難着雪カバー１を取り付けていないケーブル１００上に積もった雪の落下を促すことができる。【選択図】図１
2009165233.tif 000002
【特許請求の範囲】
【請求項１】
ケーブルに取り付ける難着雪カバーであって、
前記ケーブルの径よりも大きな内径を有し、外周面が撥水加工された筒形状のカバー本体と、
前記カバー本体の上部に配置され、撥水加工された雪切部と、
前記雪切部に対向した前記カバー本体の下部に配置された重りと、
を有することを特徴とする難着雪カバー。
【請求項２】
前記重りは板状であることを特徴とする請求項１記載の難着雪カバー。
【請求項３】
前記カバー本体は、前記ケーブルの径より大きく開口可能な開口部を有することを特徴とする請求項１又は２に記載の難着雪カバー。
【請求項４】
前記ケーブルに配置するストッパを有することを特徴とする請求項１乃至３のいずれかに記載の難着雪カバー。
【発明の詳細な説明】
【技術分野】
【０００１】
本発明は、ケーブルに取り付けて使用する難着雪カバーに関する。
【背景技術】
【０００２】
降雪時に通信線や送電線などのケーブルに雪が付着すると、付着した雪の重さにより断線してしまうという問題がある。そこで、雪がケーブルに着雪することを防ぐ難着雪リングや（例えば特許文献１参照）、ケーブルの表面に撥水処理を施す技術が提案されている。
【特許文献１】特開２００４−２２９３３４号公報
【発明の開示】
【発明が解決しようとする課題】
【０００３】
しかしながら、図４の断面図に示すように、難着雪リングやケーブル１００の表面に撥水処理を施した場合であっても、雪２００同士がケーブルの周囲でくっつき合い落雪しにくいという問題がある。
【０００４】
本発明は、上記に鑑みてなされたものであり、その課題とするところは、取り付けが容易であって、落雪効果の高い難着雪カバーを提供することにある。
【課題を解決するための手段】
【０００５】
本発明に係る難着雪カバーは、ケーブルに取り付ける難着雪カバーであって、ケーブルの径よりも大きな内径を有し、外周面が撥水加工された筒形状のカバー本体と、カバー本体の上部に配置され、撥水加工された雪切部と、雪切部に対向したカバー本体の下部に配置された重りと、を有することを特徴とする。
【０００６】
本発明にあっては、ケーブルを収納する筒形状のカバー本体の上部に配置され、撥水加工された雪切部と、雪切部に対向したカバー本体の下部に配置された重りとを備えることにより、重りにより雪切部が地面に対して立った状態となるので、カバー本体に積もる雪が分断されて落雪しやすい難着雪カバーを提供することが可能となる。
【０００７】
上記難着雪カバーにおいて、重りは板状であることを特徴とする。
【０００８】
本発明にあっては、板状の重りを備えることにより、重りが風を受けて難着雪カバーを揺らし、難着雪カバーを取り付けていないケーブルに積もった雪の落雪を促すことを可能とする。
【０００９】
上記難着雪カバーにおいて、カバー本体は、ケーブルの径より大きく開口可能な開口部を有することを特徴とする。
【００１０】
本発明にあっては、カバー本体に開口部を有することにより、容易に難着雪カバーをケーブルに取り付けることが可能となる。
【００１１】
上記難着雪カバーにおいて、ケーブルに配置するストッパを有することが、難着雪カバーの可動範囲を制御するうえで望ましい。
【発明の効果】
【００１２】
本発明によれば、取り付けが容易であって、落雪効果の高い難着雪カバーを提供することができる。
【発明を実施するための最良の形態】
【００１３】
以下、本発明の実施の形態について図面を用いて説明する。本発明は、以下に記載されたもののみに限定するものではない。
【００１４】
図１は、本実施の形態における難着雪カバーの構成を示す斜視図である。同図に示すように、本難着雪カバー１は、円筒形状の本体１１と、本体１１の外周面の上部に雪切板１２と、雪切板１２に対向して本体１１の外周面の下部に板状の重り１３とを備えた構造である。
【００１５】
本体１１の長手方向の長さは、数ｃｍから２０ｃｍ程度である。本体１１の内径は数ｍｍから１ｃｍ程度であり、難着雪カバー１を取り付けるケーブル１００の直径より数ｍｍ程度大きい。雪切板１２の長さは本体１１の長さと等しく、雪切板１２の高さは、数ｃｍ程度である。重り１３の長さも本体１１の長さと等しい。重り１３の高さは、雪切板１２の約２倍程度である。
【００１６】
難着雪カバー１の材質として、ポリエステル樹脂、アクリル樹脂、ポリプロピレン樹脂などを用いる。難着雪カバー１の外面は、撥水材料を塗装し、撥水加工されている。撥水材料としては、接触角が１４０度以上の超撥水材料を用いることが望ましい。
【００１７】
図２は、ケーブル１００に難着雪カバー１を取り付けた様子を示す外観図である。同図に示すように、難着雪カバー１を取り付けたとき、ケーブル１００は本体１１の内側に収容される。本体１１の内径がケーブル１００の直径よりも大きいことから、難着雪カバー１は、ケーブル１００に沿って左右に可動であるとともに、ケーブル１００を軸として回転可能である。難着雪カバー１は、重り１３が雪切板１２よりも大きいことから、無風時には、雪切板１２を上、重り１３を下にして静止する。この状態で降雪があるとき、本体１１の上部に降り積もる雪は、雪切板１２により、本体１１の上部において雪同士がくっつき合うことなくアンバランスとなり、自重で落下する。
【００１８】
難着雪カバー１を取り付けていないケーブル１００部分に着雪するが、難着雪カバー１を取り付けた箇所においてケーブル１００上の着雪部分が分断されるため、ケーブル１００上の雪も落下しやすくなる。また、雪切板１２、板状の重り１３が受ける風圧により、ケーブル１００が揺れたり、あるいは、難着雪カバー１が揺れて左右に動くことで、ケーブル１００上の雪の落下が促進される。
【００１９】
難着雪カバー１は、２ｍ程度から１０ｍ程度の間隔でケーブル１００に取り付けることが望ましい。また、図２に示すように、ケーブル１００に移動防止ストッパ２０を取り付けることで、難着雪カバー１の左右の可動範囲を制限することができる。
【００２０】
図３は、本実施の形態における別の難着雪カバーの構成を示す斜視図である。同図に示す難着雪カバー３は、図１に示したものと同様に、多角形の断面を有する筒形状の本体３１と、雪切部３２と、重りとなる板３３Ａ，３３Ｂとを備えた構造である。
【００２１】
板３３Ａ，３３Ｂは本体３１の下部に長手方向に形成した開口部に接続されており、板３３Ａ，３３Ｂのそれぞれを指で持ち、開口部をケーブルの径よりも大きく広げることにより、容易にケーブル１００に難着雪カバー３を取り付けることが可能となる。難着雪カバー３をケーブル１００に取り付けた後、板３３Ａ，３３Ｂのそれぞれに対応して形成された穴３４を結束バンドや針金などで結び、板３３Ａ，３３Ｂを張り合わせる。このように、本体３１にケーブル１００の径より大きく開口可能な開口部を備えることにより、容易に難着雪カバー３をケーブル１００に取り付けることが可能となる。取り外しも容易であることは言うまでもない。したがって、降雪の状況、季節などに応じて容易に取り付け、取り外しを行うことができる。
【００２２】
図３に示すように、難着雪カバー３の本体３１は多角形の筒形状であっても良いし、断面が楕円の筒形状であってもよい。また、雪切部３２は地面に対して垂直となるような板状であることが望ましいが、例えば２枚の板の一辺を張り合わせ、５０度以上の傾斜角を有する三角形状であってもよい。
【００２３】
したがって、本実施の形態によれば、ケーブル１００の径よりも内径の大きい本体１１と、本体１１の上部に形成された雪切板１２と、本体１１の下部に形成された板状の重り１３とを備え、本体１１、雪切板１２および重り１３に撥水加工を施すことにより、重り１３の重さにより雪切板１２が地面に対して垂直となるので、雪切板１２により難着雪カバー１上に積もる雪が分断されて、落雪しやすくなる。また、雪切板１２と板状の重り１３とで風を受け、ケーブル１００を揺らすので、難着雪カバー１を取り付けていないケーブル１００上に積もった雪の落下を促すことができる。
【００２４】
本実施の形態によれば、本体３１の下部にケーブル１００の径より大きく開口可能な開口部を備えることにより、容易に難着雪カバー３をケーブル１００に取り付けることが可能となる。これにより、通信を遮断することなく難着雪カバー３をケーブル１００に取り付けることができる。
【図面の簡単な説明】
【００２５】
【図１】一実施の形態における難着雪カバーの構成を示す斜視図である。
【図２】上記難着雪カバーをケーブルに取り付けた様子を示す外観図である。
【図３】一実施の形態における別の難着雪カバーの構成を示す斜視図である。
【図４】ケーブルに着雪した様子を示す断面図である。
【符号の説明】
【００２６】
１…難着雪カバー
１１…本体
１２…雪切板
３…難着雪カバー
３１…本体
３２…雪切部
３３Ａ，３３Ｂ…板
３４…穴
２０…移動防止ストッパ
１００…ケーブル
２００…雪
【図１】
2009165233.tif 000003
【図２】
2009165233.tif 000004
【図３】
2009165233.tif 000005
【図４】
2009165233.tif 000006